(57)【要約】【課題】不使用時の保管が容易であると共に、使用時には組み立て易い仮設間仕切りを実現する。【解決手段】仮設間仕切り１００は、シート状の間仕切り本体１と、間仕切り本体１を設置面Ｆに立てた状態に支持する骨格部材２と、を備え、間仕切り本体１は、棒状に形成された骨格部材２が挿入される筒状の保持部１０を複数箇所に備え、骨格部材２は、折り畳み可能なシート状であって、巻いて棒状に形成された状態で、複数の保持部１０のそれぞれに挿入される。【選択図】図１
2020056278.tif 000002
【特許請求の範囲】
【請求項１】
シート状の間仕切り本体と、間仕切り本体を設置面に立てた状態に支持する骨格部材と、を備えた仮設間仕切りであって、
前記間仕切り本体は、棒状に形成された前記骨格部材が挿入される筒状の保持部を複数箇所に備え、
前記骨格部材は、折り畳み可能なシート状であって、巻いて棒状に形成された状態で、複数の前記保持部のそれぞれに挿入される、仮設間仕切り。
【請求項２】
前記間仕切り本体は多角形筒状に形成され、当該多角形筒状の複数の辺部の少なくとも一部に沿って前記保持部が配置されている、請求項１に記載の仮設間仕切り。
【請求項３】
複数の前記保持部には、前記間仕切り本体が前記設置面に立てられた状態で、前記設置面から上方に向かう方向に沿う筒状の柱用保持部が含まれ、
前記間仕切り本体は、当該間仕切り本体が前記設置面に立てられた状態で、前記設置面に平行な方向に互いに離間して配置される複数の前記柱用保持部を備え、
前記柱用保持部に挿入される前記骨格部材は、柱として機能する柱部材である、請求項１又は２に記載の仮設間仕切り。
【請求項４】
前記柱部材は、展開した状態で矩形状であり、いずれか１つの辺に平行な方向を軸方向として巻かれて棒状に形成される、請求項３に記載の仮設間仕切り。
【請求項５】
複数の前記保持部には、前記間仕切り本体が前記設置面に立てられた状態で、前記設置面に平行な方向に沿う筒状の梁用保持部が含まれ、
前記間仕切り本体は、当該間仕切り本体が前記設置面に立てられた状態で、一対の前記柱用保持部の上部を繋ぐように配置される複数の前記梁用保持部を備え、
前記梁用保持部に挿入される前記骨格部材は、梁として機能する梁部材である、請求項３又は４に記載の仮設間仕切り。
【請求項６】
前記設置面に平行な方向に沿って複数の前記梁部材が一列に並ぶように配置され、
隣り合う一対の前記梁部材の端部同士が互いに連結される、請求項５に記載の仮設間仕切り。
【請求項７】
前記梁部材は、展開した状態で少なくとも１つの角部に切り欠きが設けられた矩形状であり、いずれか１つの辺に平行な方向を軸方向として巻かれて棒状に形成される、請求項６に記載の仮設間仕切り。
【請求項８】
複数の前記骨格部材を連結する補強部材を更に備え、
前記補強部材は、折り畳み可能なシート状の補強芯材と、筒状に形成されたシート材であるカバー部材と、を備え、前記補強芯材が棒状に巻かれた状態で前記カバー部材に挿入されており、
前記補強部材は、少なくとも２つの前記骨格部材のそれぞれに対して連結部材によって連結される、請求項１から７のいずれか一項に記載の仮設間仕切り。
【請求項９】
前記間仕切り本体が、ポリエチレン系不織布により構成され、
前記骨格部材が、ポリプロピレン系不織布により構成されている、請求項１から８のいずれか一項に記載の仮設間仕切り。
【発明の詳細な説明】
【技術分野】
【０００１】
本発明は、空間を仕切る仮設間仕切りに関する。
【背景技術】
【０００２】
例えば、下記の特許文献１（特許第５７８７５９３号公報）には、建物内や屋外等において空間を仕切るために使用される空間仕切り部材（１）が開示されている（背景技術の説明において括弧内に示す符号は特許文献１のものである。）。このような空間仕切り部材（１）は、災害時に設置される避難所や花見などの催し物が行われる開催所等、不特定多数の人が集まる場所において、間仕切りや目隠し等に用いられる。
【０００３】
特許文献１の空間仕切り部材（１）は、シート本体（１０）に形成された複数の支持部材挿入部（１１）のそれぞれに棒状の支持部材（３１）を挿入し、複数の支持部材（３１）を起立させることで、シート本体（１０）を起立状態で支持するように構成されている。このように、特許文献１の空間仕切り部材（１）は、起立状態のシート本体（１０）によって空間を仕切ることができるように構成されている。
【先行技術文献】
【特許文献】
【０００４】
【特許文献１】特許第５７８７５９３号公報
【発明の概要】
【発明が解決しようとする課題】
【０００５】
ところで、仮設間仕切りは、使用しない時（以下「不使用時」という）には、倉庫等に保管しておく必要があるが、避難所等で多くの人が使用できるようにするためには、多くの仮設間仕切りを小さいスペースに効率的に収納できることが望ましい。しかし、上記特許文献１の技術ではシート本体（１０）の支えとして機能する支持部材（３１）には、樹脂製、金属製、木製等の剛性を有する材料により構成された棒状の部材が用いられる。そのため、不使用時には、シート本体（１０）については折り畳むなどしてコンパクトにできるが、支持部材（３１）についてはそのようなことができなかった。その結果、空間仕切り部材（１）の全体を小さいスペースに効率的に収納することが難しく、不使用時における保管が容易とは言えなかった。一方、仮に小さいスペースに収納することができても、組み立てに難しい作業が必要な構造である場合には、避難所等において多くの人が使用するのには適さない。
【０００６】
上記実状に鑑みて、不使用時の保管が容易であると共に、使用時には組み立て易い仮設間仕切りの実現が望まれる。
【課題を解決するための手段】
【０００７】
上記に鑑みた仮設間仕切りは、
シート状の間仕切り本体と、間仕切り本体を設置面に立てた状態に支持する骨格部材と、を備えた仮設間仕切りであって、
前記間仕切り本体は、棒状に形成された前記骨格部材が挿入される筒状の保持部を複数箇所に備え、
前記骨格部材は、折り畳み可能なシート状であって、巻いて棒状に形成された状態で、複数の前記保持部のそれぞれに挿入される。
【０００８】
本構成によれば、間仕切り本体と骨格部材との双方がシート状の部材であるため、不使用時にはこれらを折り畳んで収納することができる。よって、不使用時の保管が容易である。そして、使用時には、シート状の骨格部材を巻いて棒状に形成し、筒状の保持部に挿入するだけで、仮設間仕切りを組み立てることができる。従って、特に難しい作業を必要とせず、容易に仮設間仕切りを設置することができる。
【０００９】
本開示に係る技術のさらなる特徴と利点は、図面を参照して記述する以下の例示的かつ非限定的な実施形態の説明によってより明確になるであろう。
【図面の簡単な説明】
【００１０】
【図１】仮設間仕切りの斜視図
【図２】間仕切り本体の一部展開図
【図３】柱部材を展開状態から棒状に形成する工程の説明図
【図４】梁部材を展開状態から棒状に形成する工程の説明図
【図５】補強部材を展開状態から棒状に形成する工程の説明図
【図６】仮設間仕切りの組立工程を示す説明図
【図７】仮設間仕切りの組立工程を示す説明図
【図８】仮設間仕切りの組立工程を示す説明図
【図９】仮設間仕切りの組立工程を示す説明図
【図１０】仮設間仕切りの組立工程を示す説明図
【図１１】仮設間仕切りの組立工程を示す説明図
【図１２】その他の実施形態に係る仮設間仕切りの一例を示す斜視図
【発明を実施するための形態】
【００１１】
１．第１実施形態
第１実施形態に係る仮設間仕切りについて、図面を参照して説明する。
【００１２】
〔仮設間仕切りの概略構成〕
まず、図１を参照して仮設間仕切り１００の概略構成について説明する。仮設間仕切り１００は、シート状の間仕切り本体１と、間仕切り本体１を設置面Ｆに立てた状態に支持する骨格部材２と、を備えている。そして、設置面Ｆに立てた状態に支持された間仕切り本体１により、当該間仕切り本体１に囲まれた空間部９が形成される。また、間仕切り本体１の少なくとも一部には出入口部１３が設けられており、この出入口部１３により空間部９への出入りが自在となっている。
【００１３】
例えば、このような仮設間仕切り１００は、災害時に設置される避難所において、間仕切りや目隠し等に用いられ、空間部９は、プライベートな空間として活用される。但し、仮設間仕切り１００は、このような用途に限定されることなく、例えば、花見などの各種の催し物が行われる開催所等の不特定多数の人が集まる場所において、プライベートな空間を確保するために用いられてもよい。
【００１４】
間仕切り本体１は、棒状に形成された骨格部材２が挿入される筒状の保持部１０を複数箇所に備えている。骨格部材２は、折り畳み可能なシート状であって、巻いて棒状に形成された状態で、複数の保持部１０のそれぞれに挿入される。複数の保持部１０のそれぞれに骨格部材２が挿入されることで、間仕切り本体１を設置面Ｆに立てた状態で支持することができる。そして、このような骨格部材２が折り畳み可能なシート状に構成されているため、不使用時にはこれを折り畳んでコンパクトに収納することができる。その結果、シート状の間仕切り本体１も含めて、仮設間仕切り１００を全体としてコンパクトに収納可能となり、不使用時の保管が容易となっている。
【００１５】
本実施形態では、仮設間仕切り１００は、複数の骨格部材２を連結するブレース３（補強部材に相当）を更に備えている。ブレース３は、少なくとも２つの骨格部材２のそれぞれに対して連結部材８によって連結される。ブレース３により、仮設間仕切り１００を補強して、強度を向上させることができ、倒れにくい仮設間仕切り１００を実現できる。また、ブレース３についても、巻いて棒状となる折り畳み可能なシート状に構成されており、不使用時にはコンパクトに収納できるようになっている。
【００１６】
ここで、間仕切り本体１を構成するシートとしては、例えば、ポリエチレン、ポリプロピレン、ポリエステル、ナイロン等の各種合成繊維を素材とする不織布を用いることができる。より具体的には、強度と撥水性とを有する高密度ポリエチレン系不織布、例えばデュポン社製不織布タイベック（登録商標）１０８２Ｄを、間仕切り本体１を構成するシートとして好適に用いることができる。なお、間仕切り本体１を構成するシートを、天然繊維の不織布とし、又は、合成繊維もしくは天然繊維の織物や編物としてもよい。或いは、間仕切り本体１を構成するシートを、合成樹脂シート、又は撥水加工等を施した紙等としてもよい。また、骨格部材２又はブレース３を構成するシートとしては、例えば、ポリエチレン、ポリプロピレン、ポリエステル、ナイロン等の各種合成繊維を素材とする不織布を用いることができる。より具体的には、ポリプロピレン系不織布、例えば剛性の高いデュポン社製不織布タイパー（登録商標）２４０ＢＢを、骨格部材２又はブレース３を構成するシートとして好適に用いることができる。なお、これらを構成するシートを、天然繊維の不織布とし、又は、合成繊維又は天然繊維の織物としてもよい。或いは、これらを構成するシートを、合成樹脂シート、又は撥水加工を施した紙としてもよい。本実施形態では、間仕切り本体１が、ポリエチレン系不織布により構成され、骨格部材２が、ポリプロピレン系不織布により構成されている。また、ブレース３についても、骨格部材２と同様に、ポリプロピレン系不織布により構成されている。なお、間仕切り本体１、骨格部材２、及びブレース３が、同じ材質であってもよいし、互いに異なる材質であってもよい。以下、仮設間仕切り１００の各部の具体的構成について詳細に説明する。
【００１７】
〔間仕切り本体〕
図１及び図２を参照して、間仕切り本体１の構成について説明する。間仕切り本体１は、折り畳み可能なシート状に形成されており、複数の区画壁部Ｗを有している。間仕切り本体１は、組み立て後の状態（図１に示される状態）において、複数の区画壁部Ｗにより囲まれた空間部９を形成する。以下、特に断らない限り、組み立て後の状態を基準として、間仕切り本体１の構成について説明する。
【００１８】
図１に示すように、本実施形態では、間仕切り本体１は、多角形筒状に形成されており、当該多角形筒状の複数の本体辺部Ｓ（辺部に相当）の少なくとも一部に沿って保持部１０が配置されている。図示の例では、間仕切り本体１は、複数の本体辺部Ｓと、複数の区画壁部Ｗとを有し、上部及び下部が開放された六角形筒状に形成されている。
【００１９】
本体辺部Ｓには、上下方向Ｖに沿って配置される第１本体辺部Ｓ１と、第１本体辺部Ｓ１の上部において水平方向Ｈに沿って配置される第２本体辺部Ｓ２と、第１本体辺部Ｓ１の下部において水平方向Ｈに沿って配置される第３本体辺部Ｓ３と、が含まれる。本例では、６つの第２本体辺部Ｓ２が互いに連結して平面視で六角形状を形成し、同様に、６つの第３本体辺部Ｓ３が互いに連結して平面視で六角形状を形成している。そして、第２本体辺部Ｓ２によって形成される六角形の角部のそれぞれと、第３本体辺部Ｓ３によって形成される六角形の角部のそれぞれとを繋ぐように、６つの第１本体辺部Ｓ１が配置される。隣り合う一対の第１本体辺部Ｓ１の間には、区画壁部Ｗが配置されており、本例では、間仕切り本体１全体として、６つの区画壁部Ｗが配置されている。
【００２０】
上述のように、間仕切り本体１は、空間部９への出入り口を構成する出入口部１３を備えている。本実施形態では、出入口部１３は、開閉自在な出入用スリット１３１と、出入用スリット１３１を開放状態に維持する係止部１３２及び被係止部１３３と、を有している。本例では、出入用スリット１３１は、互いに係合する一対の線ファスナー部を有しており、当該一対の線ファスナー部が係合することによって出入用スリット１３１が閉塞状態に維持される。但し、このような構成に限定されることなく、出入用スリット１３１は、例えばフック部や面ファスナーを有する等、線ファスナー部以外の手段によって閉塞状態に維持される構成であってもよい。さらには、線ファスナー部などの係合手段を有さない、スリットのみの構成とされていてもよい。
【００２１】
本実施形態では、複数（本例では６つ）の区画壁部Ｗには、連続する壁面を構成する第１区画壁部Ｗ１と、空間部９への出入りを可能とするための出入口が形成された第２区画壁部Ｗ２と、が含まれる。そして、上記の出入用スリット１３１は、第２区画壁部Ｗ２に設けられている。本例では、第１区画壁部Ｗ１と第２区画壁部Ｗ２とが交互に並んで配置されている。但し、このような構成に限定されることなく、複数の区画壁部Ｗのうちの少なくとも１つが、出入口を有する区画壁部Ｗ（第２区画壁部Ｗ２）として構成されていればよい。
【００２２】
本実施形態では、被係止部１３３は、第２区画壁部Ｗ２における出入用スリット１３１によって分割された分割片の隅部領域に設けられている。図示の例では、被係止部１３３は、第２区画壁部Ｗ２の下部領域における出入用スリット１３１を挟んだ両側の位置に配置されている。また、係止部１３２は、第１区画壁部Ｗ１における第２区画壁部Ｗ２に隣接する領域に設けられている。図示の例では、係止部１３２は、第１区画壁部Ｗ１の下部領域における第２区画壁部Ｗ２との境界に隣接する位置に配置されている。そして、図２において仮想線で示すように、被係止部１３３が係止部１３２に係止されることで、出入用スリット１３１が開放状態に保持される。
【００２３】
本実施形態では、被係止部１３３は、一対の面ファスナー部を有し、一対の面ファスナー部を係合させることによりループ状となる帯状に形成されている。また、係止部１３２は、両端部が区画壁部Ｗ（第１区画壁部Ｗ１）に取り付けられた帯状に形成されている。そして、被係止部１３３が形成するループ内に係止部１３２が収まる状態で一対の面ファスナー部が係合することで、被係止部１３３が係止部１３２に係止される。但し、被係止部１３３が係止部１３２に係止されるのであれば、具体的構成は上記に限定されない。例えば、互いに係合する一対の面ファスナー部の一方が被係止部１３３に設けられ、他方が係止部１３２に設けられていてもよい。或いは、係止部１３２及び被係止部１３３が、例えばフックとループにより構成されていてもよい。また、上記では、第１区画壁部Ｗ１に係止部１３２が設けられ、第２区画壁部Ｗ２に被係止部１３３が設けられている例について説明したが、第２区画壁部Ｗ２のみに、係止部１３２及び被係止部１３３の双方が設けられていてもよい。
【００２４】
保持部１０は、筒状に形成されている。本実施形態では、保持部１０は、シート状の素材を筒状に縫製して形成されている。本例では、間仕切り本体１の一部を筒状に縫製して保持部１０を形成している。そのため、保持部１０は、骨格部材２が挿入されていない状態では筒状の延在方向に直交する断面の形状が任意に変形可能である。また、詳細は後述するが、骨格部材２は、巻いて円柱の棒状に形成される。従って、本例では、保持部１０の内部には、骨格部材２が挿入されることにより円筒状の空間部が形成される。但し、このような構成に限定されることなく、保持部１０は、骨格部材２の形状に適合するように筒状の空間部を形成することができる。
【００２５】
本実施形態では、複数の保持部１０には、間仕切り本体１が設置面Ｆに立てられた状態で、設置面Ｆから上方に向かう方向（本例では上下方向Ｖ）に沿う筒状の柱用保持部１１が含まれ、間仕切り本体１は、当該間仕切り本体１が設置面Ｆに立てられた状態で、設置面Ｆに平行な方向（水平方向Ｈ）に互いに離間して配置される複数の柱用保持部１１を備えている。
【００２６】
また、複数の保持部１０には、間仕切り本体１が設置面Ｆに立てられた状態で、設置面Ｆに平行な方向（本例では水平方向Ｈ）に沿う筒状の梁用保持部１２が含まれ、間仕切り本体１は、当該間仕切り本体１が設置面Ｆに立てられた状態で、一対の柱用保持部１１の上部を繋ぐように配置される複数の梁用保持部１２を備えている。図示の例では、梁用保持部１２は、柱用保持部１１の上方領域において、当該柱用保持部１１と重複しないように配置されており、隣り合う一対の柱用保持部１１の上方領域のそれぞれを繋いでいる。そして、図１に示すように、本実施形態では、設置面Ｆに平行な方向に沿って複数の梁部材２２が一列に並ぶように配置されている。
【００２７】
図１に示すように、本実施形態では、柱用保持部１１が、第１本体辺部Ｓ１に沿って配置されている。また、図２に示すように、柱用保持部１１は、骨格部材２としての柱部材２１が挿入される柱用開口部１１１を有している。柱用開口部１１１は、柱用保持部１１における長手方向の端部に形成されており、本例では、柱用保持部１１の下端部に形成されている。
【００２８】
図１に示すように、本実施形態では、梁用保持部１２が、第２本体辺部Ｓ２に沿って配置されている。また、図２に示すように、梁用保持部１２は、骨格部材２としての梁部材２２が挿入される梁用開口部１２１を有している。本例では、梁用開口部１２１は、梁用保持部１２における長手方向の両端部のそれぞれに形成されている。
【００２９】
このように、本実施形態では、複数の保持部１０が、第１本体辺部Ｓ１及び第２本体辺部Ｓ２に沿って配置されている。なお、図示の例では、保持部１０は、第３本体辺部Ｓ３には配置されていないが、保持部１０が第３本体辺部Ｓ３に沿って配置された構成とすることもできる。
【００３０】
本実施形態では、区画壁部Ｗには、連結部材８が取り付けられる連結部材取付部８０が設けられている。図２に示すように、連結部材取付部８０は、区画壁部Ｗにおける梁用保持部１２の下側に隣接する位置に設けられており、梁用保持部１２の長手方向における中央位置に対応して配置されている。本例では、連結部材取付部８０は、区画壁部Ｗを厚み方向に貫通する貫通孔として形成されている。なお、図示の例では、連結部材取付部８０は、スリット状に形成されているが、丸孔や角孔等の他の形状とされていてもよい。そして、図１１に示すように、帯状の連結部材８が、連結部材取付部８０に挿通されて梁部材２２とブレース３とを一体的に連結する。本実施形態では、全ての区画壁部Ｗに、連結部材取付部８０が設けられている。
【００３１】
また、本実施形態では、区画壁部Ｗには、後述する固定部材７が取り付けられる固定部材取付部７０が設けられている。図２に示すように、固定部材取付部７０は、梁用保持部１２における長手方向の両端部に設けられている。本例では、固定部材取付部７０は、梁用保持部１２の筒状の側面の一部を貫通する貫通孔として形成されている。なお、図示の例では、固定部材取付部７０は、スリット状に形成されているが、丸孔や角孔等の他の形状とされていてもよい。そして、図１０に示すように、帯状の固定部材７が、隣り合う一対の梁用保持部１２のそれぞれに設けられた固定部材取付部７０に亘って挿通されて、一対の梁用保持部１２同士を連結する。
【００３２】
〔骨格部材〕
骨格部材２は、保持部１０に挿入されて、間仕切り本体１を設置面Ｆに立てた状態で支持する。骨格部材２は、折り畳み可能なシート状であって、保持部１０に挿入される際に、巻いて棒状に形成される。本例では、骨格部材２は、シート状部材を円柱状に巻いて棒状に形成される。
【００３３】
本実施形態では、柱用保持部１１に挿入される骨格部材２は、柱として機能する柱部材２１である。そして、梁用保持部１２に挿入される骨格部材２は、梁として機能する梁部材２２である。
【００３４】
〔柱部材〕
図３は、柱部材２１を展開状態から棒状に形成する工程を示している。図示するように、柱部材２１は、展開した状態で矩形状であり、いずれか１つの辺（以下、柱辺２１Ｓ）に平行な方向を軸方向（以下、柱軸方向Ｌ１）として巻かれて棒状に形成される。本実施形態では、柱部材２１は、展開状態において長方形状であり、柱辺２１Ｓとして、一対の柱長辺２１Ｓａと一対の柱短辺２１Ｓｂとを有している。そして、柱部材２１は、柱長辺２１Ｓａに平行な方向を柱軸方向Ｌ１として、柱軸方向Ｌ１に直交する方向を巻方向Ｒとして巻かれる。具体的には、柱部材２１は、展開状態において、一対の柱長辺２１Ｓａのうち一方の柱長辺２１Ｓａ（図中上側の柱長辺２１Ｓａ）を巻方向Ｒの始端とすると共に、他方の柱長辺２１Ｓａ（図中下側の柱長辺２１Ｓａ）を巻方向Ｒの終端とするようにして、棒状に巻かれる。そして、本例では、棒状に形成された柱部材２１は、仮設間仕切り１００の組み立て後において、柱軸方向Ｌ１が上下方向Ｖに沿うように配置される。
【００３５】
〔梁部材〕
図４は、梁部材２２を展開状態から棒状に形成する工程を示している。図示するように、梁部材２２は、展開した状態で少なくとも１つの角部（以下、梁角部２２Ｃ）に梁切欠部２２１（切り欠きに相当）が設けられた矩形状であり、いずれか１つの辺（以下、梁辺２２Ｓ）に平行な方向を軸方向（以下、梁軸方向Ｌ２）として巻かれて棒状に形成される。本実施形態では、梁部材２２は、展開状態において、梁辺２２Ｓとして、一対の梁長辺２２Ｓａと一対の梁短辺２２Ｓｂと、４つの梁角部２２Ｃと、を有している。そして、梁部材２２は、梁長辺２２Ｓａに平行な方向を梁軸方向Ｌ２として、梁軸方向Ｌ２に直交する方向を巻方向Ｒとして巻かれる。具体的には、梁部材２２は、展開状態において、一対の梁長辺２２Ｓａのうち一方の梁長辺２２Ｓａ（図中上側の梁長辺２２Ｓａ）を巻方向Ｒの始端とすると共に、他方の梁長辺２２Ｓａ（図中下側の梁長辺２２Ｓａ）を巻方向Ｒの終端とするようにして、棒状に巻かれる。なお、本例では、棒状に形成された梁部材２２は、仮設間仕切り１００の組み立て後において、梁軸方向Ｌ２が水平方向Ｈに沿うように配置される。
【００３６】
ここで、梁切欠部２２１について説明を加える。梁切欠部２２１は、４つの梁角部２２Ｃの少なくとも一つに設けられる切欠部である。本実施形態では、４つの梁角部２２Ｃのうちの一つのみに梁切欠部２２１が設けられている。また本実施形態では、梁切欠部２２１は、梁角部２２Ｃを矩形状に切り欠いて形成されている。このような梁切欠部２２１を設けたことにより、一対の梁短辺２２Ｓｂのうち一方の梁短辺２２Ｓｂが、他方の梁短辺２２Ｓｂよりも短くなっていると共に、一対の梁長辺２２Ｓａのうち一方の梁長辺２２Ｓａが、他方の梁長辺２２Ｓａよりも短くなっている。そして、本例では、梁切欠部２２１が巻方向Ｒの終端側となるように、梁部材２２を巻く。これにより、梁部材２２が巻かれて棒状にされた状態において、梁軸方向Ｌ２における梁切欠部２２１に対応する位置に、他の部分よりも径が小さくされた小径部２２Ａが形成される。すなわち本例では、梁部材２２は、巻かれて棒状にされた状態において、大径部２２Ｂと、当該大径部２２Ｂよりも径が小さな小径部２２Ａと、を有する。小径部２２Ａは、梁部材２２における梁軸方向Ｌ２の端部に形成される。
【００３７】
図示の例では、梁切欠部２２１は、矩形状に形成されている。しかし、梁切欠部２２１の形状は、これに限定されず、矩形状の梁部材２２の角部が切り欠かれた形状であればよい。従って、梁切欠部２２１によって切り欠かれた領域の形状が、例えば、円又は楕円の一部に相当する形状、三角形状、平行四辺形状等の各種形状とされていてもよい。
【００３８】
〔ブレース〕
ブレース３は、棒状に形成されると共に複数の骨格部材２に連結されて、仮設間仕切り１００を補強する。本実施形態では、ブレース３が「補強部材」に相当する。
【００３９】
図５は、ブレース３を展開状態から棒状に形成する工程を示している。本実施形態では、ブレース３は、折り畳み可能なシート状のブレース芯材３１（補強芯材に相当）と、筒状に形成されたシート材であるブレースカバー３２（カバー部材に相当）と、を備えている。そして、ブレース芯材３１が棒状に巻かれた状態でブレースカバー３２に挿入される。これにより、ブレース３が、全体として棒状に形成される。
【００４０】
ブレース芯材３１は、展開した状態で矩形状であり、いずれか１つの辺（以下、ブレース辺３１Ｓ）に平行な方向を軸方向（以下、ブレース軸方向Ｌ３）として巻かれて棒状に形成される。本実施形態では、ブレース芯材３１は、展開状態において長方形状であり、ブレース辺３１Ｓとして、一対のブレース長辺３１Ｓａと一対のブレース短辺３１Ｓｂとを有している。そして、ブレース芯材３１は、ブレース長辺３１Ｓａに平行な方向をブレース軸方向Ｌ３として、ブレース軸方向Ｌ３に直交する方向を巻方向Ｒとして巻かれる。具体的には、ブレース芯材３１は、展開状態において、一対のブレース長辺３１Ｓａのうち一方のブレース長辺３１Ｓａ（図中上側のブレース長辺３１Ｓａ）を巻方向Ｒの始端とすると共に、他方のブレース長辺３１Ｓａ（図中下側のブレース長辺３１Ｓａ）を巻方向Ｒの終端とするようにして、棒状に巻かれる。そして、棒状に形成されたブレース芯材３１は、筒状のブレースカバー３２に挿入される。これにより、棒状のブレース３が形成される。
【００４１】
〔仮設間仕切りの組み立て〕
次に、仮設間仕切り１００の組み立てについて、図６〜図１１を参照して説明する。
【００４２】
まず、図６に示すように、保持部１０に骨格部材２を挿入する。本実施形態では、柱用保持部１１の端部に形成された柱用開口部１１１から、当該柱用保持部１１の中に柱部材２１を挿入する。これを全ての柱用保持部１１に対して行う。図７に示すように、本例では、柱部材２１は、柱用保持部１１に挿入後の状態で、当該柱部材２１の下端部が柱用保持部１１から下方に突出するように配置される。このように、柱用保持部１１から下方に突出した柱部材２１の下端部が、設置面Ｆ（図１参照）に接触する仮設間仕切り１００の脚部となる。
【００４３】
また、本実施形態では、梁用保持部１２の両端部に形成された梁用開口部１２１のうち一方の梁用開口部１２１から、当該梁用保持部１２の中に梁部材２２を挿入する。これを全ての梁用保持部１２に対して行う。ここで、本例では、全ての梁部材２２を、それぞれが対応する梁用保持部１２に対して同じ向きとなるように挿入する。本例では、図７に示すように、梁部材２２は、梁用保持部１２に挿入後の状態で、小径部２２Ａが梁用保持部１２から同じ側に突出するように配置される。また、複数の梁部材２２は、それぞれが対応する梁用保持部１２に挿入後の状態で、間仕切り本体１の上端部に沿って一列に並ぶように配置される。そして、複数の梁部材２２の小径部２２Ａのそれぞれが、隣り合う他の梁部材２２の大径部２２Ｂに近接する位置に配置される。
【００４４】
梁部材２２を梁用保持部１２に挿入した後、図８に示すように、梁用保持部１２を、その内部の梁部材２２ごと柱部材２１の側（下側）に折り畳む。これにより、梁部材２２と連結部材取付部８０とを接近させる。なお、本例では、柱部材２１及び梁部材２２を挿入した後に間仕切り本体１を設置面Ｆに立てた状態とすることで、梁用保持部１２及び梁部材２２が、それらの重みによって柱部材２１の側に折り畳まれる。
【００４５】
また、本実施形態では、図９に示すように、隣り合う一対の梁部材２２の端部同士が互いに連結される。上述のように、一列に並ぶように配置された複数の梁部材２２のそれぞれでは、小径部２２Ａが、隣り合う他の梁部材２２の大径部２２Ｂに近接して配置されている。従って、小径部２２Ａと大径部２２Ｂとを連結することにより、隣り合う一対の梁部材２２同士を連結することができる。具体的には、小径部２２Ａを、隣接する大径部２２Ｂの延在方向に沿うように折り曲げて当該隣接する大径部２２Ｂに挿入することにより、隣り合う一対の梁部材２２同士を連結する。ここで、上記において図４を参照して説明したように、小径部２２Ａは、梁切欠部２２１によって、巻かれる長さが大径部２２Ｂよりも短く、肉厚も薄くなっているため、大径部２２Ｂに比べて強度が低い。これにより、小径部２２Ａを大径部２２Ｂに対して容易に折り曲げることが可能となっており、小径部２２Ａと隣り合う他の梁部材２２の大径部２２Ｂとを連結し易い構成となっている。このような構成により、平面視で多角形状（本例では六角形状）を形成するように、一列に並ぶ複数の梁部材２２を連結することが容易となっている。なお、上記では、小径部２２Ａを大径部２２Ｂに挿入することにより、隣り合う一対の梁部材２２の端部同士を連結する構成について説明したが、そのような構成に限定されることはなく、例えば、ベルト等の連結補助部材を用いて一対の梁部材２２の端部同士を連結する構成としてもよい。
【００４６】
更に本実施形態では、図１０に示すように、隣り合う一対の梁部材２２の端部同士は、互いに連結された状態で、固定部材７によって互いに固定される。本例では、帯状の固定部材７が、隣り合う一対の梁用保持部１２のそれぞれに設けられた固定部材取付部７０に亘って挿通されて、一対の梁用保持部１２同士を連結する。本例では、固定部材７は、帯状の本体部７Ａと、本体部７Ａの端部に連結されたバックル７Ｂと、本体部７Ａの一方の面において当該本体部７Ａの長さ方向に分かれて配置された一対の面ファスナー７Ｃとを有している。そして、本体部７Ａを一対の固定部材取付部７０に挿通すると共に、当該本体部７Ａをバックル７Ｂに挿通して折り返し、一対の面ファスナー７Ｃを互いに係合させる。これにより、固定部材７をループ状とし、当該ループによって一対の梁用保持部１２を連結する。このような固定部材７によって一対の梁用保持部１２を引き寄せて連結することで、隣り合う一対の梁部材２２の端部同士の位置関係を固定し、両者の連結が外れにくいようにすることができる。
【００４７】
また本実施形態では、図１１に示すように、ブレース３は、連結部材８によって梁部材２２に連結される。図示の例では、帯状の連結部材８が、連結部材取付部８０に挿通されて、梁部材２２と２つのブレース３とを一体的に連結する。具体的には、連結部材８は、梁部材２２の長手方向における中央位置において、当該梁部材２２と２つのブレース３の端部とを連結する。図１に示すように、ブレース３は、隣り合う一対の梁部材２２に亘って配置されており、ブレース３の一方の端部が隣り合う一対の梁部材２２の一方の中央部に配置され、ブレース３の他方の端部が隣り合う一対の梁部材２２の他方の中央部に配置されている。そして、ブレース３の両端部のそれぞれが、連結部材８によって対応する梁部材２２にそれぞれ連結されている。本例では、連結部材８は、帯状の本体部８Ａと、本体部８Ａの端部に連結されたバックル８Ｂと、本体部８Ａの一方の面において当該本体部８Ａの長さ方向に分かれて配置された一対の面ファスナー８Ｃとを有している。そして、本体部８Ａを連結部材取付部８０に挿通すると共に、当該本体部８Ａを梁部材２２及び２つのブレース３の端部の周囲に巻き付けてからバックル８Ｂに挿通して折り返し、一対の面ファスナー８Ｃを互いに係合させる。これにより、連結部材８をループ状とし、当該ループによって梁部材２２と２つのブレース３とを連結する。なお、上記では、１つのブレース３が、２つの梁部材２２のそれぞれに対して連結される構成について説明した（図１参照）。しかし、このような構成に限定されることなく、ブレース３は、例えば、２つの柱部材２１のそれぞれに連結される構成であってもよいし、或いは、柱部材２１と梁部材２２とのそれぞれに連結される構成であってもよい。
【００４８】
２．その他の実施形態
次に、仮設間仕切りのその他の実施形態について説明する。
【００４９】
（１）上記の実施形態では、間仕切り本体１が、設置面Ｆに立てられた状態で六角形筒状（多角形筒状）に形成されている例について説明した。しかし、このような構成に限定されることなく、間仕切り本体１は、例えば多角錐状に形成されていてもよい。図１２には、四角錐状に形成された間仕切り本体１を備えた仮設間仕切り２００を例示している。この場合、間仕切り本体１は、三角形状の区画壁部Ｗを４つ有し、当該４つの区画壁部Ｗにより囲まれた空間部９を形成している。そして、上記実施形態では、柱用保持部１１が、間仕切り本体１が設置面Ｆに立てられた状態で、上下方向Ｖに沿うように配置されている例について説明したが、図１２に示す例では、柱用保持部１１（柱部材２１）が、上下方向Ｖに対して傾斜する方向に沿うように配置されている。このような柱用保持部１１（柱部材２１）の配置も、設置面Ｆから上方に向かう方向に沿うものとなっている。また、このような場合、図示するように、上述の梁用保持部１２（梁部材２２）は設けられない構成とすることができる。また、図示は省略するが、例えば、間仕切り本体１がドーム状に形成されていてもよい。この場合、筒状の保持部１０は、ドーム状の間仕切り本体１の外周に沿うアーチ状に配置されていると好適である。そして、骨格部材２は、シート状部材が巻いて棒状に形成された状態で、アーチ状に配置された保持部１０に挿入されることで、アーチ状の骨格を形成することができる。この場合、骨格部材２は、柱部材２１と梁部材２２とを兼ねたものであると解釈することができる。
【００５０】
（２）上記の実施形態では、間仕切り本体１が、複数の区画壁部Ｗにより囲まれた空間部９を形成する例について説明した。しかし、このような例に限定されることなく、間仕切り本体１は、上述のような空間部９を形成することなく、区画壁部Ｗによって空間を区画するだけの態様であってもよい。この場合には、区画壁部Ｗは、間仕切り本体１に対して複数であることに限定されず、１つのみであってもよい。例えば、間仕切り本体１が１枚の平面状の区画壁を形成し、或いは、間仕切り本体１が平面視でＬ字状に配置される２枚の区画壁部Ｗを形成する構成等であってもよい。
【００５１】
（３）上記の実施形態では、梁用保持部１２が、間仕切り本体１が設置面Ｆに立てられた状態で、水平方向Ｈに沿うように配置されている例について説明した。しかし、このような例に限定されることなく、梁用保持部１２は、水平方向Ｈに対して傾斜する方向に沿って配置されていてもよい。
【００５２】
（４）上記の実施形態では、柱部材２１が、展開した状態で矩形状である例について説明した。しかし、このような例に限定されることなく、柱部材２１は、展開した状態から巻かれることにより棒状に形成される態様であればよく、展開した状態の形状はどのような形状であってもよい。例えば、柱部材２１の展開状態での形状が、各種の多角形状、円形状、楕円形状等であってもよい。梁部材２２及びブレース芯材３１についても同様である。
【００５３】
（５）上記の実施形態では、梁切欠部２２１が巻方向Ｒの終端側となるように梁部材２２を巻いて棒状にすることで、梁軸方向Ｌ２における梁切欠部２２１に対応する位置に、他の部分よりも径が小さくされた小径部２２Ａが形成される例について説明した。しかし、このような例に限定されることなく、梁切欠部２２１が巻方向Ｒの始端側となるように梁部材２２を巻いて棒状にしてもよい。この場合には、梁部材２２は、巻かれて棒状にされた状態において、梁軸方向Ｌ２における梁切欠部２２１に対応する位置に、他の部分と外径が同じであって内径が大きな部分（筒状部）が形成される。これにより、当該部分に、他の梁部材２２を挿入し易くでき、隣り合う梁部材２２同士の連結が容易となる。なお、他の梁部材２２における挿入部分には、梁切欠部２２１を巻方向Ｒの終端側となるように配置することにより小径部２２Ａを形成するようにしてもよい。このようにすれば、小径部２２Ａを筒状部に容易に挿入することができる。
【００５４】
（６）上記の実施形態では、梁部材２２が、展開した状態で１つの梁角部２２Ｃに梁切欠部２２１が設けられた矩形状であり、巻かれた状態で小径部２２Ａと大径部２２Ｂとが形成される例について説明した。しかし、このような例に限定されることなく、梁切欠部２２１は、梁部材２２の複数の角部に設けられていてもよい。例えば、梁部材２２が、展開した状態で対角となる２つの梁角部２２Ｃのそれぞれに梁切欠部２２１が設けられた矩形状とされていても好適である。或いは、梁部材２２は、展開した状態で、梁切欠部２２１を有しない矩形状であってもよい。
【００５５】
（７）上記の実施形態では、仮設間仕切り１００が、補強部材としてブレース３を備えている例について説明したが、ブレース３は必須の構成ではない。
【００５６】
（８）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００５７】
３．上記実施形態の概要
以下、上記において説明した仮設間仕切りの概要について説明する。
【００５８】
シート状の間仕切り本体と、間仕切り本体を設置面に立てた状態に支持する骨格部材と、を備えた仮設間仕切りであって、
前記間仕切り本体は、棒状に形成された前記骨格部材が挿入される筒状の保持部を複数箇所に備え、
前記骨格部材は、折り畳み可能なシート状であって、巻いて棒状に形成された状態で、複数の前記保持部のそれぞれに挿入される。
【００５９】
本構成によれば、間仕切り本体と骨格部材との双方がシート状の部材であるため、不使用時にはこれらを折り畳んで収納することができる。よって、不使用時の保管が容易である。そして、使用時には、シート状の骨格部材を巻いて棒状に形成し、筒状の保持部に挿入するだけで、仮設間仕切りを組み立てることができる。従って、特に難しい作業を必要とせず、容易に仮設間仕切りを設置することができる。
【００６０】
ここで、
前記間仕切り本体は多角形筒状に形成され、当該多角形筒状の複数の辺部の少なくとも一部に沿って前記保持部が配置されていると好適である。
【００６１】
本構成によれば、間仕切り本体の内部に、当該間仕切り本体によって囲まれて外部から遮蔽された空間を形成することができる。また、多角形筒状の複数の辺部の少なくとも一部に沿って骨格部材が配置されることになるため、間仕切り本体を多角形筒状に維持しつつ設置面に立てた状態で適切に支持することができる。
【００６２】
また、
複数の前記保持部には、前記間仕切り本体が前記設置面に立てられた状態で、前記設置面から上方に向かう方向に沿う筒状の柱用保持部が含まれ、
前記間仕切り本体は、当該間仕切り本体が前記設置面に立てられた状態で、前記設置面に平行な方向に互いに離間して配置される複数の前記柱用保持部を備え、
前記柱用保持部に挿入される前記骨格部材は、柱として機能する柱部材であると好適である。
【００６３】
本構成によれば、設置面から上方に向かう方向に沿って配置される複数の柱部材によって間仕切り本体が支持される。従って、間仕切り本体を設置面に立つ壁状に配置することができる。これにより、使い勝手がよく、広い空間を確保し易い仮設間仕切りとすることができる。
【００６４】
また、
前記柱部材は、展開した状態で矩形状であり、いずれか１つの辺に平行な方向を軸方向として巻かれて棒状に形成されると好適である。
【００６５】
本構成によれば、シート状の柱部材を巻いて棒状にする作業が容易である。また、棒状に形成した状態では、軸方向の場所によらず厚みが同じになるため、柱部材の強度を確保し易い。
【００６６】
また、
複数の前記保持部には、前記間仕切り本体が前記設置面に立てられた状態で、前記設置面に平行な方向に沿う筒状の梁用保持部が含まれ、
前記間仕切り本体は、当該間仕切り本体が前記設置面に立てられた状態で、一対の前記柱用保持部の上部を繋ぐように配置される複数の前記梁用保持部を備え、
前記梁用保持部に挿入される前記骨格部材は、梁として機能する梁部材であると好適である。
【００６７】
本構成によれば、柱部材と梁部材とによって間仕切り本体が支持される。従って、間仕切り本体を設置面に平行な方向における広い範囲に配置し易い。これにより、広い空間を確保し易い仮設間仕切りとすることができる。また本構成によれば、設置面から上方に向かう方向に沿って立つ複数の柱部材の上部の位置関係が変化し難いように、梁部材によって複数の柱部材が連結される。従って、仮設間仕切りの強度を確保し易い。
【００６８】
また、
前記設置面に平行な方向に沿って複数の前記梁部材が一列に並ぶように配置され、
隣り合う一対の前記梁部材の端部同士が互いに連結されると好適である。
【００６９】
本構成によれば、設置面に平行な方向に沿って一列に並ぶように配置された複数の前記梁部材の位置関係が変化し難いように、隣り合う一対の梁部材の端部同士が互いに連結される。従って、仮設間仕切りの強度を高めることができる。
【００７０】
また、
前記梁部材は、展開した状態で少なくとも１つの角部に切り欠きが設けられた矩形状であり、いずれか１つの辺に平行な方向を軸方向として巻かれて棒状に形成されると好適である。
【００７１】
本構成によれば、矩形状の梁部材のいずれか１つの辺を基準として巻くことで棒状にするため、シート状の梁部材を巻いて棒状にする作業が容易である。また、棒状に形成した状態では、切り欠き部に対応する部分の厚みが薄くなるため、当該部分の強度が低くなる。これにより、当該強度の低い部分を容易に折り曲げることが可能となり、隣り合う一対の梁部材の端部同士の連結を容易に行うことが可能となっている。
【００７２】
また、
複数の前記骨格部材を連結する補強部材を更に備え、
前記補強部材は、折り畳み可能なシート状の補強芯材と、筒状に形成されたシート材であるカバー部材と、を備え、前記補強芯材が棒状に巻かれた状態で前記カバー部材に挿入されており、
前記補強部材は、少なくとも２つの前記骨格部材のそれぞれに対して連結部材によって連結されると好適である。
【００７３】
本構成によれば、複数の骨格部材の位置関係が変化し難いように、少なくとも２つの骨格部材が補強部材によって連結される。従って、仮設間仕切りの強度を高めることができる。また、本構成によれば、間仕切り本体と骨格部材とに加えて、補強部材までがシート状の部材の組合せであるため、不使用時にはこれらを折り畳んで収納することができる。よって、不使用時の保管が容易である。そして、使用時には、シート状の補強芯材を棒状に巻いて筒状のカバー部材に挿入するだけで、補強部材を構成することができる。
【００７４】
また、
前記間仕切り本体が、ポリエチレン系不織布により構成され、
前記骨格部材が、ポリプロピレン系不織布により構成されていると好適である。
【００７５】
本構成によれば、十分な強度と撥水性とを有する間仕切り本体を適切に実現できる。また、骨格部材については、間仕切り本体を支持するのに十分な剛性を確保することが容易となる。
【産業上の利用可能性】
【００７６】
本開示に係る技術は、空間を仕切る仮設間仕切りに利用することができる。
【符号の説明】
【００７７】
１００    ：仮設間仕切り
１        ：間仕切り本体
１０      ：保持部
１１      ：柱用保持部
１２      ：梁用保持部
１１１    ：柱用開口部
１２１    ：梁用開口部
１３１    ：出入用スリット
１３２    ：係止部
１３３    ：被係止部
２        ：骨格部材
２１      ：柱部材
２１Ｓ    ：柱辺（柱部材の辺）
２２      ：梁部材
２２Ｃ    ：梁角部（梁部材の角部）
２２Ｓ    ：梁辺（梁部材の辺）
２２１    ：梁切欠部（柱部材の切り欠き）
３        ：ブレース（補強部材）
３１      ：ブレース芯材（補強芯材）
３２      ：ブレースカバー（カバー部材）
８        ：連結部材
Ｆ        ：設置面
Ｌ１      ：柱軸方向（柱部材の軸方向）
Ｌ２      ：梁軸方向（梁部材の軸方向）
Ｓ        ：本体辺部（辺部）
Ｖ        ：上下方向
Ｈ        ：水平方向
【図１】
2020056278.tif 000003
【図２】
2020056278.tif 000004
【図３】
2020056278.tif 000005
【図４】
2020056278.tif 000006
【図５】
2020056278.tif 000007
【図６】
2020056278.tif 000008
【図７】
2020056278.tif 000009
【図８】
2020056278.tif 000010
【図９】
2020056278.tif 000011
【図１０】
2020056278.tif 000012
【図１１】
2020056278.tif 000013
【図１２】
2020056278.tif 000014